(57)【要約】【課題】シート間の前後寸法が仮に短くても、上下方向の寸法なかんずく足置きスペースを充分に確保すると乗員の乗り心地が得られることに着目し、リヤフロアパネルに前列シートの取付け面より下方に凹設された凹設部を形成し、この凹設部の上部空間に後列シートを配設すると共に、凹設部内部に後列シートの乗員の足置きスペースを形成することで、車両の前後長のコンパクト化と後列シート（特に３列目シート）の配設とが両立でき、車両の前後長さを短く設定しても凹設部の形成により上下寸法を確保することができ、後列シートの乗員の乗り心地を確保することができる車両の後部車体構造の提供を目的とする。【解決手段】複数列のシート１３，１４，１５がフロアパネル４上に前後に配設された車両において、前列シート１３，１４の後方のリヤフロアパネル５に該前列シートの取付け面より下方に凹設された凹設部６を形成し、上記凹設部６の上部空間１６に後列シート１５を配設すると共に、上記凹設部６の内部に後列シート１５の乗員の足置きスペース１７を形成したことを特徴とする。【選択図】    図１
2004299641.tif 000002
【特許請求の範囲】
【請求項１】
複数列のシートがフロアパネル上に前後に配設された車両において、
前列シートの後方のリヤフロアパネルに該前列シートの取付け面より下方に凹設された凹設部を形成し、
上記凹設部の上部空間に後列シートを配設すると共に、
上記凹設部の内部に後列シートの乗員の足置きスペースを形成した
車両の後部車体構造。
【請求項２】
上記凹設部の後方がルーフ部まで車室外に開放された開口部を備えた
請求項１記載の車両の後部車体構造。
【請求項３】
上記開口部を開閉可能に覆うリヤゲートを設けた
請求項２記載の車両の後部車体構造。
【請求項４】
上記リヤゲートは複数に分割され、分割された各リヤゲートがそれぞれ独立して開閉可能に構成された
請求項３記載の車両の後部車体構造。
【請求項５】
上記リヤゲートは凹設部を覆う部分と、その上方の開口部を覆う部分とに上下に分割された
請求項４記載の車両の後部車体構造。
【請求項６】
上記リヤゲートは凹設部を覆って上下方向に回動する下部リヤゲートと、凹設部の上方の開口部を覆って左右方向に開閉する単一の上部リヤゲートとを備えた
請求項５記載の車両の後部車体構造。
【請求項７】
上記リヤゲートは凹設部を覆って上下方向に回動する下部リヤゲートと、凹設部の上方の開口部を覆う左右一対の観音開き構造の上部リヤゲートとを備えた
請求項５記載の車両の後部車体構造。
【請求項８】
上記リヤゲートは凹設部と該凹設部の上方の開口部とを一体に覆う左右一対の観音開き構造の左右のリヤゲートで構成された
請求項４記載の車両の後部車体構造。
【請求項９】
上記後列シートは凹設部を形成する車室側壁に設けられ、
該後列シートが凹設部の上部空間に引出される使用状態と、車室側壁に格納される格納状態とに択一的に選択すべく構成された
請求項１〜８の何れか１に記載の車両の後部車体構造。
【請求項１０】
上記車室側壁には後列シートを格納するため車外方向に凹設された段部が形成された
請求項９記載の車両の後部車体構造。
【請求項１１】
上記凹設部には車椅子が乗込み可能に構成された
請求項２〜１０の何れか１に記載の車両の後部車体構造。
【請求項１２】
上記凹設部の後端にはスロープ部材が設けられた
請求項２〜１１の何れか１に記載の車両の後部車体構造。
【請求項１３】
上記スロープ部材は車両側に折り畳み可能に設けられた
請求項１２記載の車両の後部車体構造。
【請求項１４】
上記凹設部の車外側には排気管が配設され、
上記排気管と凹設部との間には断熱部材が設けられた
請求項１〜１３記載の車両の後部車体構造。
【発明の詳細な説明】
【０００１】
【発明の属する技術分野】
この発明は、複数列のシートがフロアパネル上に前後に配設されたような車両の後部車体構造に関する。
【０００２】
【従来の技術】
従来、複数列のシートをフロアパネル上に前後に配設した車両としては次のような構造のものがある。
すなわち、フロアパネルに１列目シートと２列目シートと３列目シートとを前後方向に離間配設すると共に、３列目シートのシートクッション後端部と対応する位置からリヤ側に向けてシート格納凹部を凹設し、３列目シートのシートバックを一旦、シートクッション上に折り畳んだ後に、シートバックおよびシートクッションを一体的に反転させて上述のシート格納凹部に格納すべく構成したものである（特許文献１参照）。
【０００３】
この従来構造においては、乗員の乗り心地を考慮して前後のシートの前後寸法を確保して各シートを配設すると共に、３列目シートの格納のために上述のシート格納凹部が形成されているので、車両の前後長が必然的に長くなり、車両の前後長のコンパクト化を図ることが困難であった。
【０００４】
また次のような構成の車両の後部車体構造も知られている。つまり、車体フロアの後部にフロア基準面より一段低く凹設された荷室フロアパン（いわゆる低床タイプのリヤフロア）を形成し、荷室フロアパン上の荷室をリヤハッチバックドアとテールゲートとで開閉すべく構成すると共に、テールゲートを開放して、このテールゲートにより荷室と路面とを掛け渡した時、開放状態のテールゲート上面がスロープ部材となって、このスロープ部材から上述の荷室に車椅子を乗り込ませるように構成したものである（特許文献２参照）。
【０００５】
【特許文献１】
特開平１１−１９８６９７号公報
【特許文献２】
特開２００１−４７９２７号公報。
【０００６】
【発明が解決しようとする課題】
上述の従来構造においては、荷室フロアパン上の荷室が車椅子専用のスペースに設定されているので、荷室の充分な活用が困難で、汎用性が低い問題点があった。
【０００７】
何れにしても、車両全長が限られている寸法の条件下において、乗員の乗り心地を確保しつつ、複数列シート、特に３列のシートを効率的に配設することが難しい問題点があった。
【０００８】
そこで、この発明はシート間の前後寸法が仮に短くても、上下方向の寸法なかんずく足置きスペースを充分に確保すると乗員の乗り心地が得られることに着目し、リヤフロアパネルに前列シートの取付け面より下方に凹設された凹設部を形成し、この凹設部の上部空間に後列シートを配設すると共に、凹設部内部に後列シートの乗員の足置きスペースを形成することで、車両の前後長のコンパクト化と後列シート（特に３列目シート）の配設とが両立でき、車両の前後長さを短く設定しても凹設部の形成により上下寸法を確保することができ、後列シートの乗員の乗り心地を確保することができる車両の後部車体構造の提供を目的とする。
【０００９】
【課題を解決するための手段】
この発明による車両の後部車体構造は、複数列のシートがフロアパネル上に前後に配設された車両において、前列シートの後方のリヤフロアパネルに該前列シートの取付け面より下方に凹設された凹設部を形成し、上記凹設部の上部空間に後列シートを配設すると共に、上記凹設部の内部に後列シートの乗員の足置きスペースを形成したものである。
【００１０】
上記構成の後列シートは、３列目シートに設定してもよい。
上記構成によれば、上述の凹設部の上部空間に後列シートを配設すると共に、この凹設部の内部に乗員の足置きスペースを形成したので、車両の前後長のコンパクト化と後列シートの配設とが両立でき、車両の前後長さを短く設定しても上記凹設部の形成により上下寸法が確保できるので、後列シートの乗員の乗り心地を確保することができる。
【００１１】
この発明の一実施態様においては、上記凹設部の後方がルーフ部まで車室外に開放された開口部を備えたものである。
上記構成によれば、車両のリヤ側から乗員が乗降でき、また荷物の出し入れもリヤ側から行なうことができる。
【００１２】
この発明の一実施態様においては、上記開口部を開閉可能に覆うリヤゲートを設けたものである。
上記構成によれば、ルーフ部から凹設部までの開口部全体をリヤゲートで覆うので、このリヤゲートで車外と適切に隔離でき、荷室としての機能を果すことができる。
【００１３】
この発明の一実施態様においては、上記リヤゲートは複数に分割され、分割された各リヤゲートがそれぞれ独立して開閉可能に構成されたものである。
上記構成によれば、所望するリヤゲートのみが開閉でき、実用性および使い勝手が向上する。
【００１４】
この発明の一実施態様においては、上記リヤゲートは凹設部を覆う部分と、その上方の開口部を覆う部分とに上下に分割されたものである。
上記構成によれば、上下のリヤゲートで適宜開口部を独立して開閉することができる。
【００１５】
この発明の一実施態様においては、上記リヤゲートは凹設部を覆って上下方向に回動する下部リヤゲートと、凹設部の上方の開口部を覆って左右方向に開閉する単一の上部リヤゲートとを備えたものである。
上記構成によれば、ヒンジ部材およびロック部材の数量が最小限となり、簡単な構造でありながら、実用性および使い勝手の向上を図ることができる。
【００１６】
この発明の一実施態様においては、上記リヤゲートは凹設部を覆って上下方向に回動する下部リヤゲートと、凹設部の上方の開口部を覆う左右一対の観音開き構造の上部リヤゲートとを備えたものである。
上記構成によれば、車両の後方空間が狭小であっても観音開き構造の上部リヤゲートと、上下方向に回動する下部リヤゲートとを、それぞれ独立して容易に開閉することができる。
【００１７】
この発明の一実施態様においては、上記リヤゲートは凹設部と該凹設部の上方の開口部とを一体に覆う左右一対の観音開き構造の左右のリヤゲートで構成されたものである。
上記構成によれば、観音開き構造の左右のリヤゲートにより、凹設部と、この凹設部の上方の開口部とを同時に開閉することができる。
【００１８】
この発明の一実施態様においては、上記後列シートは凹設部を形成する車室側壁に設けられ、該後列シートが凹設部の上部空間に引出される使用状態と、車室側壁に格納される格納状態とに択一的に選択すべく構成されたものである。
【００１９】
上記構成によれば、後列シートを凹設部の上部空間に引出した時には、後列シートを座席として使用することができ、この後列シートを車室側壁に格納した時には、凹設部および上部空間を荷室として使用することができ、ニーズに応じて、座席と荷室との使い分けができる。
【００２０】
この発明の一実施態様においては、上記車室側壁には後列シートを格納するため車外方向に凹設された段部が形成されたものである。
上記構成によれば、後列シートは凹設された段部に格納されるので、この後列シートの格納時には、凹設部および上部空間に広い荷室が形成され、この荷室を有効利用することができる。
【００２１】
この発明の一実施態様においては、上記凹設部には車椅子が乗込み可能に構成されたものである。
上記構成によれば、車椅子の乗込みも可能となる。すなわち、上述の凹設部および上部空間はニーズに対応して座席スペース、荷室スペース、車椅子スペースに使い分けることができ、汎用性の拡大を図ることができる。
【００２２】
この発明の一実施態様においては、上記凹設部の後端にはスロープ部材が設けられたものである。
上記構成のスロープ部材は、上下方向に回動する下部リヤゲートで兼用してもよい。
上記構成によれば、車椅子、荷物の出し入れ、または乗員の乗降を容易に行なうことができる。
【００２３】
この発明の一実施態様においては、上記スロープ部材は車両側に折り畳み可能に設けられたものである。
上記構成によれば、スロープ部を車両側に折り畳んで格納することができる。
【００２４】
この発明の一実施態様においては、上記凹設部の車外側には排気管が配設され、上記排気管と凹設部との間には断熱部材が設けられたものである。
上記構成によれば、凹設部の形成と排気管のレイアウトとを両立させつつ、凹設部の足置きスペースの熱害を上述の断熱部材により防止することができる。
【００２５】
【実施例】
この発明の一実施例を以下図面に基づいて詳述する。
図面は車両の後部車体構造を示すが、まず図１、図２、図３を参照して車体構造について説明する。
【００２６】
エンジンルーム１と車室２とを前後に仕切るダッシュロアパネル３を設け、このダッシュロアパネル３の下端には後方に延びるフロアパネル４を接続している。
このフロアパネル４はキックアップ部４ａと、このキックアップ部４ａから後方に延びるリヤフロアパネル５とを含み、このリヤフロアパネル５が下方に凹設されて凹設部６を形成している。
【００２７】
一方、上述のダッシュロアパネル３の前方にはエンジンルーム１内の左右を前方に延びるフロントサイドフレーム７を設け、このフロントサイドフレーム７をダッシュロアパネル３に沿って下方かつ後方に延設すると共に、このフロントサイドフレーム７の後端部にはフロアフレーム８を接続している。
【００２８】
上述の凹設部６は図３に示すように左右の車室側壁９，９により形成され、こらの車室側壁９，９には後述する３列目シートを格納するために車外方向に凹設された段部１０，１０が形成される。
【００２９】
上述の凹設部６を形成する車室側壁９において段部１０の下端水平部１０ａ外面には車両の前後方向に延びる左右一対のリヤサイドフレーム１１，１１が設けられている。
【００３０】
これらのリヤサイドフレーム１１，１１はリヤフロアパネル５に沿って車両の前後方向に延び、その前端部はフロアフレーム８に接続されている。
また上述のリヤサイドフレーム１１は図１に示すように凹設部６の前部より後方で上方にキックアップしたキックアップ部１２を備えている。
【００３１】
ところで、上述のフロアパネル４およびリヤフロアパネル５の上部には図１、図２に示すように、複数列のシートつまり１列目シート１３と２列目シート１４と３列目シート１５とが前後方向に離間して配設されている。
【００３２】
これらの各シート１３，１４，１４はバケット・シート（ｂｕｃｋｅｔ  ｓｅａｔ）に設定されているが、２列目シート１４についてはベンチ・シートを採用することができる。
【００３３】
１列目シート１３はシートクッション１３Ｃと、シートバック１３Ｂと、ヘッドレスト１３Ｈとを備え、この実施例では右側の１列目シートがドライバーズシートに左側の１列目シートがパッセンジャーズシートにそれぞれ設定されている。
【００３４】
２列目シート１４はシートクッション１４Ｃと、シートバック１４Ｂと、ヘッドレスト１４Ｈとを備え、この２列目シート１４はキックアップ部４ａ後方のフロアパネル４よりも一段高い部分に配設されている。
【００３５】
３列目シート１５はシートクッション１５Ｃと、シートバック１５Ｂと、ヘッドレスト１５Ｈとを備え、上述の凹設部６の上部空間１６においてリヤサイドフレーム１１のキックアップ部１２と対応した車室側壁９における段部１０の下端水平部１０ａに取付けられ、この下端水平部１０ａに片持ち支持されている。
【００３６】
ここで、上述の凹設部６は前列シート（１列目シート１３参照）の取付け面より下方に凹設されたものであって、この凹設部６の内部には図１に示すように３列目シート１５の乗員の足置きスペース１７が形成されている。
【００３７】
図３に示すように、凹設部６の車外側にはサイレンサ１８およびテールパイプ１９等の排気管が配設され、この排気管と凹設部６との間には断熱部材としてのインシュレータ２０が設けられている。
【００３８】
この実施例では上述のインシュレータ２０の断面構造を略Ｚ字状に形成し、インシュレータ２０の上端折曲げ部をリヤサイドフレーム１１におけるキックアップ部１２下面にボルト、ナットまたはビス等の取付け部材を用いて接続し、インシュレータ２０の下端折曲げ部を凹設部６の下面コーナ部にボルト、ナットまたはビス等の取付け部材を用いて接続し、凹設部６の車外側面つまり車室側面９の外面と、インシュレータ２０との間には所定の空間部２１を形成している。
【００３９】
図３、図４、図５に示すように凹設部６の後方にはリヤエンドパネルを設けることなく、該凹設部６の後方がルーフ部２２まで車室外に一体的に開放された開口部２３を形成している。
【００４０】
そして、この開口部２３を開閉可能に覆うリヤゲートを設けるが、図３、図４、図５の実施例においては、このリヤゲートは凹設部６を覆って上下方向に回動する下部リヤゲート２４と、凹設部６の上方の開口部２３ａ（図３参照）を覆って左右方向に開閉する単一の上部リヤゲート２５とを備えている。
【００４１】
下部リヤゲート２４は車室側壁９の外面下部に固定されたブラケット２６の支点部２７に開閉可能に枢支されると共に、図５に示すように該下部リヤゲート２４の車幅方向両端部にはロック部材２８，２８を設けている。
【００４２】
これらのロック部材２８，２８はリヤバンパ２９の対応部に設けられたストライカ３０により係合されるものである。
この下部リヤゲート２４を後方かつ下方へ回動して、該リヤゲート２４で凹設部６と路面とを掛け渡した時、開放状態の下部リヤゲート２４上面がスロープ部材３１に設定される。すなわち、スロープ部材３１を兼ねる下部リヤゲート２４が凹設部６の後端に設けられ、この下部リヤゲート２４は車両側に折り畳み可能に設けられたものである。
【００４３】
図１に示すように、この下部リヤゲート２４で凹設部６を覆った状態下において、該下部リヤゲート２４の前面には下部リヤゲート２４の前面上部を支点として回動可能なランプ（ｒａｍｐ）部材３２が設けられており、図１に仮想線で示すように、下部リヤゲート２４で凹設部６と路面とを掛け渡した時、上述のランプ部材３２を後方に反転回動させ、このランプ部材３２の遊端を路面に接地して、路面と凹設部６との間に形成される傾斜角度を緩斜角に設定すべく構成している。
【００４４】
一方、上部リヤゲート２５は車体後面に上下一対のヒンジ部材３３，３３を介して開閉可能に枢支されており、この上部リヤゲート２５の遊端側中間部にはロック部材３４が設けられている。
【００４５】
このロック部材３４は開口部２３の対応位置に設けられたボディ側のストライカ（図示せず）により係合されるものであって、上部リヤゲート２５のアウタパネルおよびインナパネルにはロック部材３４のロック状態を車外側および車内側から解除するためのアウタハンドル３５およびインナハンドル３６を設けている。
【００４６】
図６は図４のＡ−Ａ線矢視断面図であって、下部リヤゲート２４と上部リヤゲート２５との対向部分には内外２重構造のシール部材３７，３８，３９，４０が設けられおり、これら上下のリヤゲート２５，２４で開口部２３を覆った時、適切なシール性を確保すべく構成している。
【００４７】
要するに、図３〜図６のリヤゲートは、凹設部６を覆う部分（下部リヤゲート２４参照）と、その上方の開口部２３ａ（図３参照）を覆う部分（上部リヤゲート２５参照）とに上下に分割され、各リヤゲート２４，２５がそれぞれ独立して開閉可能に構成されたものであり、下部リヤゲート２４のみの開閉と、上部リヤゲート２５のみの開閉と、両リヤゲート２４，２５の開閉ができるように構成している。
【００４８】
また、図７に示すように、下部リヤゲート２４のリヤ側面にはプロテクタ２４Ｐを接合して、この下部リヤゲート２４が直接路面に接地するのを防止し、プロテクタ２４Ｐで下部リヤゲート２４を保護すべく構成してもよい。
【００４９】
リヤゲートの構造は図３〜図７の構成に代えて、図８〜図１０に示す構造または図１１、図１２に示す構造を採用してもよい。
図８〜図１０に示すリヤゲートは、凹設部６を覆って上下方向に回動する下部リヤゲート２４と、凹設部６の上方の開口部２３ａ（図３参照）を覆う左右一対の観音開き構造の上部リヤゲート４１，４２とを備えたものである。
【００５０】
左右一対の観音開き構造の上部リヤゲート４１，４２は図９に示すように車体後面に上下一対のヒンジ部材３３，３３を介して開閉可能に枢支され、これらの各上部リヤゲート４１，４２の遊端側上下にはロック部材４３，４４がそれぞれ設けられている。
【００５１】
上側のロック部材４３はルーフ部２２の後端部対応位置に設けられたボディ側のストライカ４５により係合され、下側のロック部材４４は下部リヤゲート２４の対応位置に設けられたストライカ４６により係合される。
【００５２】
図１０は図８のＢ−Ｂ線矢視断面図であって、左側の上部リヤゲート４１と右側の上部リヤゲート４２との対向部分には内外２重構造のシール部材４７，４８，４９，５０が設けられており、これら左右の上部リヤゲート４１，４２で開口部２３を覆った時、適切なシール性を確保すべく構成している。
【００５３】
また左右一対の観音開き構造の上部リヤゲート４１，４２の少なくとも車外側にはロックを解除するためのアウタハンドル５１，５２が設けられている。
なお、下部リヤゲート２４についてはストライカ４６が設けられた構成以外は図３〜図６で示した下部リヤゲート２４と同様に構成されている。
【００５４】
要するに、図８〜図１０のリヤゲートは、凹設部６を覆う部分（下部リヤゲート２４参照）と、その上方の開口部２３ａ（図３参照）を覆う部分（上部リヤゲート４１，４２参照）とに上下に分割され、各リヤゲート２４，４１，４２がそれぞれ独立して開閉可能に構成されたものであり、下部リヤゲート２４のみにの開閉と、左側の上部リヤゲート４１のみの開閉と、右側の上部リヤゲート４２のみの開閉と、何れか２つのリヤゲートのみの開閉と、全リヤゲート２４，４１，４２の開閉ができるように構成している。
なお、図８〜図１０において前図と同一の部分には同一符号を付して、その詳しい説明を省略する。
【００５５】
図１１、図１２に示すリヤゲートは、凹設部６と、この凹設部６の上方の開口部２３ａ（図３参照）とを一体的に覆う左右一対の観音開き構造の左右のリヤゲート５３，５４を備えたものである。
【００５６】
左右一対の観音開き構造の左右のリヤゲート５３，５４は図１２に示すように車体後面に上下一対のヒンジ部材３３，３３を介して開閉可能に枢支され、これらの各リヤゲート５３，５４の遊端側上下にはロック部材４３，４４がそれぞれ設けられている。
【００５７】
上側のロック部材４３はルーフ部２２の後端部対応位置に設けられたボディ側のストライカ４５により係合され、下側のロック部材４４は凹設部６の後端部対応位置に設けられたボディ側のストライカ５５により係合される。
また左右一対の観音開き構造のリヤゲート５３，５４の少なくとも車外側にはロックを解除するためのアウタハンドル５６，５７が設けられている。
【００５８】
要するに、図１１、図１２のリヤゲートは、複数に分割され、分割された各リヤゲート５３，５４がそれぞれ独立して開閉可能に構成されたものであり、左側のリヤゲート５３のみの開閉と、右側のリヤゲート５４のみの開閉と、両リヤゲート５３，５４の開閉ができるように構成している。
なお、図１１、図１２において前図と同一の部分には同一符号を付して、その詳しい説明を省略する。
【００５９】
ところで、図１、図２、図３で示した後列シートとしての３列目シート１５は図１、図３に示すように凹設部６の上部空間１６に引出される使用状態と、図１３、図１４に示すように、車室側壁９におけるリヤサイドフレーム１１上部の段部１０に格納される格納状態とに択一的に選択すべく構成されている。
【００６０】
しかも、左右の３列目シート１５，１５は左右独立して使用状態と格納状態とが選択できるもので、一方の３列目シート１５のみを使用状態と格納状態とに設定することもでき、左右両方の３列目シート１５，１５を共に使用状態と格納状態とに設定することもできる。
【００６１】
図１３、図１４に示すように左右双方の３列目シート１５を上述の段部１０に格納した場合には、格納状態の３列目シート１５と車室側壁９とがほぼフラットまたは３列目シート１５が車室側壁９より若干車外側に位置する状態となって、凹設部６の上部に広い荷室スペースが形成されるので、上部空間１６に荷物を搭載することができ、また図１３、図１４に示すように凹設部６には車椅子１００を乗り込ませることもできる。
【００６２】
次に図１５、図１６を参照して３列目シート１５の支持構造について説明する。但し、左右の３列目シート１５の支持構造は左右ほぼ対称に構成されているので、ここでは右側の３列目シート１５の支持構造について説明する。
【００６３】
上述の３列目シート１５は方形枠状のシートクッションフレーム６０と、このシートクッションフレーム６０にリクライニングナックル６１を介して前倒可能に設けられた方形枠状のシートバックフレーム６２と、シートクッションフレーム６０の車内側片内方に接合された突片６３，６３に対して起伏可能に枢支された凹状のシートステー６４とを備えている。
【００６４】
上述のシートクッションフレーム６０の前後両片外面には可動側のブラケット６５，６５を接合固定する一方、前述の段部１０における下端水平部１０ａには固定側のブラケット６６，６６をボルトアップしている。
【００６５】
そして、前後一対の固定側のブラケット６６，６６における立上り片に支軸６７，６７を介して前後一対の可動側のブラケット６５，６５を枢支させている。
またシートクッションフレーム６０の車外側片下方に接合された突片６８と、凹状のシートステー６４を設けた横棧６４ａとの間にリターンスプリング６９を張架している。
【００６６】
さらにシートバックフレーム６２の下片における車内側背面にはストライカ７０を突設する一方、上述のシートステー６４の下片下面には前後一対のストライカ７１，７１を突設している。
【００６７】
上述のストライカ７０はシート格納時において段部１０側に設けられたロック部材７２でロックされ、シートステー６４側のストライカ７１，７１はシート使用時において凹設部６側に設けられたロック部材７３，７３でロックされる。
【００６８】
また段部１０の上端水平部１０ｂにはロック部材７２によるロックを解除するロック解除レバー７４を設けると共に、段部１０の所定部にはロック部材７３，７３によるロックを同時に解除するロック解除レバー７５を設けている。
【００６９】
図１５に示す使用状態の３列目シート１５を図１６に示すように格納する場合には、まずロック解除レバー７５を操作してロック部材７３，７３によるストライカ７１，７１のロックを解除すると共に、シートステー６４およびシートバックフレーム６２をシートクッションフレーム６０側へ折り畳む。
【００７０】
その後、支軸６７を支点として各要素６０，６２，６４を一体的に段部１０側へ回動し、シートバックフレーム６２側のストライカ７０をロック部材７２でロックさせると、３列目シート１５は図１６に示すように格納される。
【００７１】
逆に図１６に示す格納状態の３列目シート１５を図１５に示すように使用状態と成す場合には、まずロック解除レバー７４を操作してロック部材７２によるストライカ７０のロックを解除した後に、支軸６７を支点として各要素６０，６２，６４を一体的に段部１０から凹設部６の上部空間１６に引出す。
【００７２】
次に、リターンスプリング６９の付勢力に抗してシートステー６４を引き起こし、その下部のストライカ７１，７１を凹設部６側のロック部材７３，７３にてロックする。
【００７３】
次に、リクライニングナックル６１を介してシートバックフレーム６２を着座状態に引き起こすと、３列目シート１５は図１５に示すように使用状態となり、この３列目シート１５の使用状態時において、シートクッション１５Ｃ、シートクッションフレーム６０は図３、図１５に示すように、リヤサイドフレーム１１のキックアップ部１２とほぼ同等の高さ位置となる。
【００７４】
換言すれば、リヤサイドフレーム１１のキックアップ部１２は３列目シート１５の使用時におけるシートクッション１５Ｃ、シートクッションフレーム６０の高さ位置とほぼ同等の高さ位置において車両の前後方向に延設された車体剛性部材である。
【００７５】
なお、図中、７６はステアリングホイール、７７は前輪、７８は後輪、７９，８０は凹設部６下部において車幅方向に延びるクロスメンバ、８１はトーションビーム式のリヤサスペンションである。また図中、矢印Ｆは車両前方を示し、矢印Ｒは車両後方を示すものである。
【００７６】
このように上記実施例の車両の後部車体構造は、複数列のシート１３，１４，１５がフロアパネル４上部に前後方向に配設された車両において、前列シート（各シート１３，１４参照）の後方のリヤフロアパネル５に該前列シートの取付け面より下方に凹設された凹設部６を形成し、上記凹設部６の上部空間１６に後列シート（３列目シート１５参照）を配設すると共に、上記凹設部６の内部に後列シート（３列目シート１５参照）の乗員の足置きスペース１７を形成したものである。
【００７７】
この構成によれば、上述の凹設部６の上部空間１６に後列シート（３列目シート１５参照）を配設すると共に、この凹設部６の内部に乗員の足置きスペース１７を形成したので、車両の前後長のコンパクト化と後列シート（３列目シート１５参照）の配設とが両立でき、車両の前後長さを短く設定しても上記凹設部６の形成により上下寸法が確保できるので、後列シート（３列目シート１５参照）の乗員の乗り心地を確保することができる。
【００７８】
また、上記凹設部６の後方がルーフ部２２まで車室外に開放された開口部２３（図３参照）を備えたものである。
この構成によれば、車両のリヤ側から乗員が乗降でき、また荷物の出し入れもリヤ側から行なうことができる。
【００７９】
さらに、上記開口部２３を開閉可能に覆うリヤゲート（各リヤゲート２４，２５，４１，４２，５３，５４参照）を設けたものである。
この構成によれば、ルーフ部２２から凹設部６までの開口部２３全体をリヤゲートで覆うので、このリヤゲートで車外と適切に隔離でき、荷室としての機能を果すことができる。
【００８０】
加えて、上記リヤゲート（各リヤゲート２４，２５，４１，４２，５３，５４参照）は複数に分割され、分割された各リヤゲートがそれぞれ独立して開閉可能に構成されたものである。
この構成によれば、所望するリヤゲートのみが開閉でき、実用性および使い勝手が向上する。
【００８１】
また、上記リヤゲートは凹設部を覆う部分（図４、図８の下部リヤゲート２４参照）と、その上方の開口部２３ａを覆う部分（図４、図８の上部リヤゲート２５，４１，４２参照）とに上下に分割されたものである。
この構成によれば、上下のリヤゲート２４，２５，４１，４２で適宜開口部２３を独立して開閉することができる。
【００８２】
さらに、図４、図５で示したように上記リヤゲートは凹設部６を覆って上下方向に回動する下部リヤゲート２４と、凹設部６の上方の開口部２３ａを覆って左右方向に開閉する単一の上部リヤゲート２５とを備えたものである。
この構成によれば、ヒンジ部材およびロック部材の数量が最小限となり、簡単な構造でありながら、実用性および使い勝手の向上を図ることができる。
【００８３】
一方、図８、図９で示したように、上記リヤゲートは凹設部６を覆って上下方向に回動する下部リヤゲート２４と、凹設部６の上方の開口部２３ａを覆う左右一対の観音開き構造の上部リヤゲート４１，４２とを備えたものである。
この構成によれば、車両の後方空間が狭小であっても観音開き構造の上部リヤゲート４１，４２と、上下方向に回動する下部リヤゲート２４とを、それぞれ独立して容易に開閉することができる。
【００８４】
また図１１、図１２で示したように、上記リヤゲートは凹設部６と該凹設部６の上方の開口部２３ａとを一体に覆う左右一対の観音開き構造の左右のリヤゲート５３，５４で構成されたものである。
この構成によれば、観音開き構造の左右のリヤゲート５３，５４により、凹設部６と、この凹設部６の上方の開口部２３ａとを同時に開閉することができる。
【００８５】
しかも、上記後列シート（３列目シート１５参照）は凹設部６を形成する車室側壁９に設けられ、該後列シート（３列目シート１５参照）が凹設部６の上部空間１６に引出される使用状態（図３参照）と、車室側壁９に格納される格納状態（図１４参照）とに択一的に選択すべく構成されたものである。
【００８６】
この構成によれば、後列シート（３列目シート１５参照）を凹設部６の上部空間１６に引出した時には、後列シート（３列目シート１５参照）を座席として使用することができ、この後列シート（３列目シート１５参照）を車室側壁９に格納した時には、凹設部６および上部空間１６を荷室として使用することができ、ニーズに応じて、座席と荷室との使い分けができる。
【００８７】
また、上記車室側壁９には後列シート（３列目シート１５参照）を格納するため車外方向に凹設された段部１０が形成されたものである。
この構成によれば、後列シート（３列目シート１５参照）は凹設された段部１０に該段部１０下方の車室側壁９とほぼフラットになるように格納されるので、この後列シート（３列目シート１５参照）の格納時には、凹設部６および上部空間１６に広い荷室が形成され、この荷室を有効利用することができる。
【００８８】
さらに図１３、図１４で示したように、上記凹設部６には車椅子１００が乗込み可能に構成されたものである。
この構成によれば、車椅子１００の乗込みも可能となる。すなわち、上述の凹設部６および上部空間１６はニーズに対応して座席スペース、荷室スペース、車椅子スペースに使い分けることができ、汎用性の拡大を図ることができる。
【００８９】
加えて、図５、図９で示したように、上記凹設部６の後端にはスロープ部材３１が設けられたものである。
この構成によれば、車椅子１００、荷物の出し入れ、または乗員の乗降を容易に行なうことができる。
【００９０】
また、上記スロープ部材３１（この実施例では下部リヤゲート２４がスロープ部材も兼ねる）は車両側に折り畳み可能に設けられたものである。
この構成によれば、スロープ部３１を車両側に折り畳んで格納することができる。
【００９１】
さらに、図３、図１４で示したように、上記凹設部６の車外側には排気管（サイレンサ１８、テールパイプ１９参照）が配設され、上記排気管と凹設部６との間には断熱部材（インシュレータ２０参照）が設けられたものである。
この構成によれば、凹設部６の形成と排気管（サイレンサ１８、テールパイプ１９参照）のレイアウトとを両立させつつ、凹設部６の足置きスペース１７の熱害を上述の断熱部材（インシュレータ２０参照）により防止することができる。
【００９２】
この発明の構成と、上述の実施例との対応において、
この発明の複数列のシートは、実施例の１列目シート１３、２列目シート１４、３列目シート１５に対応し、
以下同様に、
後列シートは、３列目シート１５に対応し、
開口部を覆うリヤゲートは、図４〜図１２で示したそれぞれのリヤゲート２４，２５，４１，４２，５３，５４に対応し、
排気管は、サイレンサ１８、テールパイプ１９に対応し、
断熱部材は、インシュレータ２０に対応するも、
この発明は、上述の実施例の構成のみに限定されるものではない。
【００９３】
【発明の効果】
この発明によればリヤフロアパネルに前列シートの取付け面より下方に凹設された凹設部を形成し、この凹設部の上部空間に後列シートを配設すると共に、凹設部内部に後列シートの乗員の足置きスペースを形成したので、車両の前後長のコンパクト化と後列シート（特に３列目シート）の配設とが両立でき、車両の前後長さを短く設定しても凹設部の形成により上下寸法を確保することができ、後列シートの乗員の乗り心地を確保することができる車両の後部車体構造の提供を目的とする。
【図面の簡単な説明】
【図１】本発明の車両の後部車体構造を示す側面図。
【図２】シートの配設構造を示す平面図。
【図３】リヤゲートを除去した状態で示す車両の背面図。
【図４】リヤゲート構造を示す斜視図。
【図５】リヤゲート開放時の斜視図。
【図６】図４のＡ−Ａ線矢視断面図。
【図７】下部リヤゲートの他の実施例を示す断面図。
【図８】リヤゲート構造の他の実施例を示す斜視図。
【図９】リヤゲート開放時の斜視図。
【図１０】図８のＢ−Ｂ線矢視断面図。
【図１１】リヤゲート構造のさらに他の実施例を示す斜視図。
【図１２】リヤゲート開放時の斜視図。
【図１３】車椅子搭載時の側面図。
【図１４】車椅子搭載時の背面図。
【図１５】後列シートの使用状態を示す斜視図。
【図１６】後列シートの格納状態を示す斜視図。
【符号の説明】
４…フロアパネル
５…リヤフロアパネル
６…凹設部
９…車室側壁
１０…段部
１３，１４…シート
１５…３列目シート（後列シート）
１６…上部空間
１７…足置きスペース
１８…サイレンサ（排気管）
１９…テールパイプ（排気管）
２０…インシュレータ（断熱部材）
２２…ルーフ部
２３，２３ａ…開口部
２４，２５，４１，４２，５３，５４…リヤゲート
３１…スロープ部材
１００…車椅子
【図１】
2004299641.tif 000003
【図２】
2004299641.tif 000004
【図３】
2004299641.tif 000005
【図４】
2004299641.tif 000006
【図５】
2004299641.tif 000007
【図６】
2004299641.tif 000008
【図７】
2004299641.tif 000009
【図８】
2004299641.tif 000010
【図９】
2004299641.tif 000011
【図１０】
2004299641.tif 000012
【図１１】
2004299641.tif 000013
【図１２】
2004299641.tif 000014
【図１３】
2004299641.tif 000015
【図１４】
2004299641.tif 000016
【図１５】
2004299641.tif 000017
【図１６】
2004299641.tif 000018